(57)【特許請求の範囲】
【請求項１】
地上波ＤＭＢ（Ｄｉｇｉｔａｌ Ｍｕｌｔｉｍｅｄｉａ Ｂｒｏａｄｃａｓｔｉｎｇ）システムにおける仮想チャンネルを用いた地上波ＤＭＢ受信装置であって、
ユーザーから入力を受けるためのキー入力部と、
前記ユーザーに映像出力を提供するための表示部と、
前記ユーザーがそれぞれの放送サービスに対して設定した仮想チャンネルの情報を格納する仮想チャンネル情報格納部と、
地上波ＤＭＢ放送を受信するＤＭＢ受信部と、
前記ＤＭＢ受信部で受信されたＤＭＢ放送信号から、ＦＩＣ（Ｆａｓｔ Ｉｎｆｏｒｍａｔｉｏｎ Ｃｈａｎｎｅｌ）情報のＭＣＩ（Ｍｕｌｔｉｐｌｅｘ Ｃｏｎｆｉｇｕｒａｔｉｏｎ Ｉｎｆｏｒｍａｔｉｏｎ）とＳＩ（Ｓｅｒｖｉｃｅ Ｉｎｆｏｒｍａｔｉｏｎ）とを分析するＭＣＩ／ＳＩ分析部と、
前記キー入力部を介しての入力された数字キーの値に応じて前記仮想チャンネル情報格納部を検索してサービスＩＤを抽出し、抽出された前記サービスＩＤに対応する放送サービスを選択するように前記ＤＭＢ受信部を制御し、前記ＭＣＩ／ＳＩ分析部で分析された情報を確認して前記仮想チャンネル情報格納部のアップデートを行う制御部と、を備え、
前記制御部は、前記仮想チャンネル情報をアップデートするとき、現在移動した地域の放送サービスに対する情報を検索して、既に格納されている仮想チャンネルのリストから所定の仮想チャンネルに対するサービスＩＤを抽出し、前記検索された放送サービスに関する情報の中の該当地域のサービスＩＤリストに、前記抽出されたサービスＩＤがあるか否か確認して、前記確認結果、前記抽出されたサービスＩＤと同じサービスＩＤがある場合には、該当仮想チャンネルの既に格納されているサービスＩＤを維持し、前記確認結果、前記抽出されたサービスＩＤと同じサービスＩＤがない場合には、前記放送サービスに関する情報の中のサービスリンキング情報(Service Linking Information)に前記抽出されたサービスＩＤがあるか否かを確認して、前記サービスリンキング情報に前記抽出されたサービスＩＤがある場合には、前記サービスリンキング情報でハードリンクされた前記抽出されたサービスＩＤとは異なる他のサービスＩＤが前記検索されたサービスＩＤリストにあるか否か確認して、前記他のサービスＩＤが前記検索されたサービスＩＤリストにある場合には、前記ハードリンクされた前記他のサービスＩＤを前記仮想チャンネルのリストに該当仮想チャンネルに関するサービスＩＤとしてアップデートを行うように制御することを特徴とする仮想チャンネルを用いた地上波ＤＭＢ受信装置。
【請求項２】
前記制御部は、当該地上波ＤＭＢ受信装置が地域間移動をした際に、前記仮想チャンネル情報格納部のアップデートを行うようにするために、前記地域間移動後の地域のサービスＩＤ情報、及びサービスリンキング情報の提供を前記ＭＣＩ／ＳＩ分析部から受けることを特徴とする、請求項１に記載の仮想チャンネルを用いた地上波ＤＭＢ受信装置。
【請求項３】
前記サービスＩＤ情報及び前記サービスリンキング情報は、前記地上波ＤＭＢシステムのＦＩＣのなかのＭＣＩに含まれていることを特徴とする、請求項２に記載の仮想チャンネルを用いた地上波ＤＭＢ受信装置。
【請求項４】
前記サービスリンキング情報は、前記地上波ＤＭＢシステムにより提供されるそれぞれの放送サービスのなかで所定の関係を有する各地域の放送サービスの前記サービスＩＤを互いに関連付けて提供するための情報であって、
前記提供されるサービス間の所定の関係を示すために、関連するサービス内容であることを示すソフトリンク情報と、同じサービス内容であることを示すハードリンク情報とを含むことを特徴とする、請求項３に記載の仮想チャンネルを用いた地上波ＤＭＢ受信装置。
【請求項５】
地上波ＤＭＢシステムの地上波ＤＭＢ受信装置における、地域間移動したときの仮想チャンネルアップデート方法であって、
前記地上波ＤＭＢ受信装置が、地域間移動後の地域の放送サービスの情報を検索する第１のステップと、
前記地上波ＤＭＢ受信装置に既に格納されている仮想チャンネルのリストから、所定の仮想チャンネルに対応するサービスＩＤを抽出する第２のステップと、
前記第１のステップにおいて検索された放送サービスの情報の中の地域間移動後の地域のサービスＩＤのリストに、前記抽出されたサービスＩＤがあるか否かを判別する第３のステップと、
前記第３のステップにおいて、前記抽出されたサービスＩＤと同じサービスＩＤがある場合には、既に格納されているサービスＩＤを維持する第４のステップと、
前記第３のステップにおいて、前記抽出されたサービスＩＤと同じサービスＩＤがない場合には、前記放送サービスの情報の中のサービスリンキング情報に前記抽出されたサービスＩＤがあるか否かを確認する第５のステップと、
前記サービスリンキング情報に前記抽出されたサービスＩＤがある場合には、前記サービスリンキング情報でハードリンクされた前記抽出されたサービスＩＤとは異なる他のサービスＩＤが前記検索されたサービスＩＤリストにあるか否か確認して、前記他のサービスＩＤが前記検索されたサービスＩＤリストにある場合には、前記ハードリンクされた前記他のサービスＩＤを前記仮想チャンネルのリストに該当仮想チャンネルに関するサービスＩＤとしてアップデートする第６のステップと、
を備えることを特徴とする地上波ＤＭＢ受信装置における仮想チャンネルアップデート方法。
【請求項６】
前記地域間移動後の地域のサービスＩＤのリスト、及び前記サービスリンキング情報は、前記地上波ＤＭＢシステムのＦＩＣのなかのＭＣＩに含まれて伝送されることを特徴とする、請求項５に記載の地上波ＤＭＢ受信装置における仮想チャンネルアップデート方法。
【請求項７】
前記サービスリンキング情報は、前記地上波ＤＭＢシステムにより提供されるそれぞれの放送サービスのなかで所定の関係のあるサービスの情報を提供し、
前記提供されるサービス間の所定の関係を示すために、関連するサービス内容であることを示すソフトリンク情報と、同じサービス内容であることを示すハードリンク情報とを含むことを特徴とする、請求項６に記載の地上波ＤＭＢ受信装置における仮想チャンネルアップデート方法。
【請求項８】
前記サービスリンキング情報がない、或いは、前記ハードリンクされたサービスＩＤが前記地域間移動後の地域のサービスＩＤのリストにない場合には、前記所定の仮想チャンネルを前記仮想チャンネルのリストから除去する第７のステップをさらに備えることを特徴とする請求項５ないし請求項７のいずれか一つに記載の地上波ＤＭＢ受信装置における仮想チャンネルアップデート方法。
【請求項９】
前記既に格納されている仮想チャンネルのリストの全ての仮想チャンネルに対して、前記第１のステップから前記第８のステップの過程を繰り返すことにより、前記仮想チャンネルのリストをアップデートする第９のステップをさらに備えることを特徴とする、請求項８に記載の地上波ＤＭＢ受信装置における仮想チャンネルアップデート方法。
【請求項１０】
仮想チャンネルマッピングが行われる地上波ＤＭＢシステムにおける地上波ＤＭＢ受信装置の放送サービス選択方法であって、
仮想チャンネルマッピングが行われる地上波ＤＭＢ受信装置の所定のキーを介して前記仮想チャンネル番号の入力を受ける第１のステップと、
前記入力された仮想チャンネル番号が前記地上波ＤＭＢ受信装置に格納されている前記仮想チャンネルのリストに含まれているか否かにより、前記入力された仮想チャンネル番号に対応する放送サービスの情報を抽出する第２のステップと、
前記抽出された放送サービスの情報が示すサービスが利用可能か否かにより、前記放送サービスを提供する第３のステップと、を備え、
前記入力された仮想チャンネル番号に対応する放送サービスの情報は、サービスＩＤであり、
前記地上波ＤＭＢ受信装置の地域間移動が行われた場合には、請求項５ないし９のいずれか一つに記載の仮想チャンネルアップグレード方法により、仮想チャンネルにマッピングされたサービスＩＤをアップデートすることを特徴とする地上波ＤＭＢ受信装置の放送サービス選択方法。
【請求項１１】
前記第２のステップにおいて、前記入力された仮想チャンネル番号が、前記地上波ＤＭＢ受信装置に格納されている前記仮想チャンネルのリストに含まれていない場合に、前記ユーザーに前記入力された仮想チャンネル番号が示す仮想チャンネルにマッピングされるサービスがないことを知らせる第４のステップをさらに備えることを特徴とする、請求項１０に記載の地上波ＤＭＢ受信装置の放送サービス選択方法。
【請求項１２】
前記第３のステップは、
前記抽出された放送サービスの情報が示すサービスが利用可能な場合に、前記ユーザーに当該放送サービスを提供する第５のステップと、
前記抽出された放送サービスの情報が示すサービスが利用できない場合に、前記ユーザーに当該仮想チャンネルによるサービスを提供できないことを知らせる第６のステップと、を備えることを特徴とする請求項１０又は請求項１１に記載の地上波ＤＭＢ受信装置の放送サービス選択方法。
【請求項１３】
前記サービスＩＤは、前記地上波ＤＭＢシステムのＦＩＣのなかのＭＣＩに含まれていることを特徴とする、請求項１２に記載の地上波ＤＭＢ受信装置の放送サービス選択方法。
【発明の詳細な説明】
【技術分野】
【０００１】
本発明は、地上波デジタルメディア放送（ｔｅｒｒｅｓｔｒｉａｌ  Ｄｉｇｉｔａｌ  Ｍｕｌｔｉｍｅｄｉａ  Ｂｒｏａｄｃａｓｔｉｎｇ；  地上波ＤＭＢ）システムに関し、特に、地上波ＤＭＢ受信装置において、ユーザーが仮想チャンネルを定義し、その仮想チャンネルを介して実際に受信される放送サービスをマッピングすることにより、同一の放送サービスが異なる周波数で提供されている地域間を移動する場合にも、同一の放送サービスを提供することのできる、仮想チャンネルを用いた地上波ＤＭＢ受信装置に関する。
【背景技術】
【０００２】
地上波ＤＭＢは、ＣＤ級の高品質オーディオサービスとデータサービスとを同時に提供するためにヨーロッパで使用されているデジタルラジオ放送標準であるＤＡＢ（Ｄｉｇｉｔａｌ  Ａｕｄｉｏ  Ｂｒｏａｄｃａｓｔｉｎｇ）のＥｕｒｅｋａ−１４７システムに基づき、ビデオを含むマルチメディア放送サービスを提供するために世界で最初に韓国にて導入されたシステム標準である。
【０００３】
地上波ＤＭＢは、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）やＤＶＢ（Ｄｉｇｉｔａｌ  Ｖｉｄｅｏ  Ｂｒｏａｄｃａｓｔｉｎｇ）のような一般のデジタル放送に比べて、使用者は移動中にも放送を受信することが可能であるという長所がある。すなわち、ＤＭＢのユーザーは、ＤＭＢ受信端末機を持っていれば、移動中にもいつでも放送を視聴することが可能である。
【０００４】
そして、地上波ＤＭＢの他の長所は、放送サービスがビデオサービスに限定されず、オーディオサービスとデータサービスとについても提供が可能な点である。よって、固定型地上波デジタル放送の手法に比べて、より多くのチャンネル及びサービスを、地上波ＤＭＢを介して提供することができる。
【０００５】
このような地上波ＤＭＢの信号は、アンサンブル（Ｅｎｓｅｍｂｌｅ）単位からなり、一つのアンサンブルは複数のサービスを含む。そして、それぞれのサービスはさらにサービスコンポーネントを含む。
【０００６】
すなわち、一つのアンサンブルは地上波ＤＭＢにおける放送信号を構成する基本要素であり、ユーザーはアンサンブル内のサービスを選択することで、特定のサービスの提供を受けることができる。よって、一つのアンサンブルに複数のビデオサービス、オーディオサービス及びデータサービスを含めることができる。
【０００７】
図１は、地上波ＤＭＢシステムにおいて使用されるアンサンブルの構造を示す図である。
【０００８】
図１に示すように、地上波ＤＭＢシステムにおいて使用されるアンサンブルは、複数のサービスと、それぞれのサービスを構成するサービスコンポーネントとを含む。このアンサンブルは、既存のＥｕｒｅｋａ−１４７において提案されているＤＡＢ標準に適合する構造を有している。図１に示すように、“ＤＡＢ  ＥＮＳＥＭＢＬＥ  ＯＮＥ”というラベルを有するアンサンブル１０１は、  “ＡＬＰＨＡ  １  ＲＡＤＩＯ”１０２と、“ＢＥＴＡ  ＲＡＤＩＯ”１０３と、“ＡＬＰＨＡ  ２  ＲＡＤＩＯ”１０４というサービスを含む。そして、“ＡＬＰＨＡ  １  ＲＡＤＩＯ”１０２は、サービスコンポーネントであるＡｕｄｉｏ１０５と、ＡＬＰＨＡ−ＴＭＣ１０６と、ＡＬＰＨＡ−ＳＩ１０７とを含む。また、“ＢＥＴＡ  ＲＡＤＩＯ”１０３は、サービスコンポーネントであるＡｕｄｉｏ１０８と、２ｎｄ−ｒｙ  Ａｕｄｉｏ１０９とを含む。さらに、“ＡＬＰＨＡ  ２  ＲＡＤＩＯ”１０４は、サービスコンポーネントであるＡＬＰＨＡ−ＴＭＣ１０６と、ＡＬＰＨＡ−ＳＩ１０７と、２ｎｄ−ｒｙ  Ａｕｄｉｏ１０９と、Ａｕｄｉｏ１１０とを含む。
【０００９】
上記のようなアンサンブル内のサービスは、ＭＳＣ（Ｍａｉｎ  Ｓｅｒｖｉｃｅ  Ｃｈａｎｎｅｌ）１１４〜１１８という一つのアンサンブルフレームの一部分に含まれており、さらにＭＳＣの構成情報は、ＦＩＣ（Ｆａｓｔ  Ｉｎｆｏｒｍａｔｉｏｎ  Ｃｈａｎｎｅｌ）を介して受信されるＭＣＩ（Ｍｕｌｔｉｐｌｅｘ  Ｃｏｎｆｉｇｕｒａｔｉｏｎ  Ｉｎｆｏｒｍａｔｉｏｎ）１１１と、ＳＩ（Ｓｅｒｖｉｃｅ  Ｉｎｆｏｒｍａｔｉｏｎ）１１２とにより得ることができる。
【００１０】
受信端末が実際に特定アンサンブルを選択してチューニングするときは、直ちにアンサンブルのＭＳＣに含まれたサービスを抽出して表示するのではなく、まず、ＦＩＣのＭＣＩ１１１とＳＩ１１２とを分析した後に、ＭＳＣのサービスを表示する。
【００１１】
以下に、現在提案されている韓国型地上波ＤＭＢシステムについて記述する。韓国型地上波ＤＭＢに割り当てられたアンサンブルの数は６個であり、それぞれのアンサンブルは複数のサービスを含む。
【００１２】
表１ａ及び表１ｂは、韓国型地上波ＤＭＢに割り当てられたアンサンブル情報及びサービス情報を簡略に示すものである。表１ａ及び表１ｂに示すように、韓国型地上波ＤＭＢは、ビデオチャンネル７個と、オーディオチャンネル１３個と、データチャンネル７個とからなる。
【表１ａ】
0004562698.tif 000002
【表１ｂ】
0004562698.tif 000003
【００１３】
このような地上波ＤＭＢの短所の一つは、隣接するチャンネル間の干渉に起因して、全ての地域のアンサンブル周波数を同一に維持することが極めて難しいという点である。一般的に、衛星ＤＭＢ（ｓａｔｅｌｌｉｔｅ  ＤＭＢ）の場合、全国的規模において同一の周波数領域で一つの放送サービスが行われる。一方、地上波ＤＭＢの場合には、各地域別にその放送サービスの周波数が異なる。すなわち、“Ａ”という地域においては“ａ”という周波数で“アンサンブル１”というインデックスを有する地上波ＤＭＢ放送信号が受信されるが、“Ｂ”という地域においても同様の“ａ”という周波数で“アンサンブル１”というインデックスを持つ地上波ＤＭＢ放送信号が受信されるとは限らない。即ち、受信する地域が異なると、同じ放送チャンネルを受信するための周波数が異なる場合があるため、地上波ＤＭＢ受信端末はアンサンブルスキャニングによってそれぞれのアンサンブルに関する情報を再検索しなければならない。
【００１４】
また、地上波ＤＭＢ受信端末で地上波ＤＭＢ放送を受信する場合、放送を選択するためには、まずサービスカテゴリーを決定し、次に当該サービスカテゴリー内のチャンネル情報に従って放送を選択することになる。このように従来の地上波ＤＭＢ受信端末を介して放送を受信する場合には、その放送の選択プロセスが複雑になるため、ユーザーは迅速な選択が困難であるという問題点がある。
【００１５】
図２Ａ〜図２Ｃは、従来の地上波ＤＭＢ受信端末における放送選択プロセスを示す図である。
【００１６】
図２Ａに示すように、まず、ユーザーは、選択したい放送のサービスカテゴリーを決定する。このようなサービスカテゴリーは‘‘１．ビデオチャンネル’’、‘‘２．オーディオチャンネル’’、‘‘３．データチャンネル’’などに区分される。次に、図２Ｂに示すように、ユーザーは、選択したサービスカテゴリー内のサービスのリストから所望する放送を検索する。そして、ユーザーが所望する放送を決定すると、当該放送が図２Ｃのように出力される。
【００１７】
このように各放送サービスを上述したサービスカテゴリーに従って区分するのは、以下のような理由による。すなわち、地上波ＤＭＢシステムによって提供される放送チャンネルの数の増加により、ユーザーは放送チャンネルを介して受信した放送サービスがどのサービスカテゴリーに属するか分からない。言い換えれば、受信した放送サービスをひとつひとつ表示して確認しなければ、それが所望する放送であるか否か分からないのである。よって、上述したサービスカテゴリーを設けてユーザーに選択を可能とすることによって、ユーザーの利便性を向上させる必要がある。
【００１８】
しかしながら、ユーザーは、ラジオ放送、データ放送及びビデオ放送に対する検索を全部行う場合には、上述したサービスカテゴリーに従った検索（例えば、図２Ａ及び図２Ｂに示した操作）とサービスカテゴリー間の移動（即ち、上述の検索を行った後、再度図２Ａに示すような画面に戻りサービスカテゴリーの選択をし直す操作）を繰り返さなければならないため、手間がかかると感じることもある。
【００１９】
図３は、一般の地上波ＤＭＢシステムにおける地域変化によるアンサンブルの情報変化を説明する図である。
【００２０】
図３に一例を示すように、第１の地域３１において、アンサンブル１では“ＭＢＣ映画”というサービスが、アンサンブル２では“ＫＢＳラジオ”というサービスが提供されている。また、第２の地域３２において、アンサンブル１では“ＳＢＳドラマ”というサービスが、アンサンブル２では“ＭＢＣ映画”というサービスが提供されている。さらに、第３の地域３３においては、アンサンブル１では“ＭＢＣ映画”というサービスが、アンサンブル２では“ＳＢＳドラマ”というサービスが提供されている。
【００２１】
このように、アンサンブルに含まれる放送サービスが各地域ごとに異なることがあるため、ＤＭＢのユーザーにとっては、地域間の移動をしたときの所望のサービスの検索は手間がかかる。すなわち、各地域ごとに同じサービスが含まれるアンサンブルが変更されるので、ユーザーが地域を移動するときにサービスの検索が難しくなるという問題点がある。
【００２２】
また、図２Ａ〜図２Ｃに示すように、ＤＭＢ放送は複数のサービスを有するが、ある特定のサービスを選択するときに、固定型放送に慣れているＤＭＢユーザーの殆どは、その特定サービスにマッピングされた数字キーを直接押下するというサービス選択方式に慣れている。しかしながら、地上波ＤＭＢシステムにおいては、固定型放送と同様の数字キーを直接押下するという方式では、ユーザーはサービス選択をすることができない。なぜなら、固定型放送において、サービス選択のための数字キー情報は実際に放送信号が入力される物理チャンネル（即ち、周波数）の番号と関係しているが、地上波ＤＭＢにおいては、物理チャンネルはアンサンブルと関係しており、それぞれの放送サービスはアンサンブル内の論理チャンネルとしての意味を有するため、固定型放送のように物理チャンネルを数字キーに対応させることができないのである。
【００２３】
以上説明したように、従来の地上波ＤＭＢシステムでは、サービスを数字キーに対応させることができないため、それぞれのサービスを数字キーの入力によって選択する従来の固定型放送のようなチャンネル選択方法を使用できないという問題点がある。
【発明の開示】
【発明が解決しようとする課題】
【００２４】
本発明は前記問題点を解決するためになされたもので、その目的は、地上波ＤＭＢのＦＩＣ（Ｆａｓｔ  Ｉｎｆｏｒｍａｔｉｏｎ  Ｃｈａｎｎｅｌ）を用いた仮想チャンネルマッピングを行うことにより、地域間移動が生じても、既にマッピングされた仮想チャンネルキーを用いて要求するサービスの直接的な選択が可能である、仮想チャンネルを用いた地上波ＤＭＢ受信装置、並びに仮想チャンネルアップデート方法及び放送サービス選択方法を提供することにある。
【課題を解決するための手段】
【００２５】
上述した目的を達成するために、本発明は、地上波ＤＭＢシステムにおける仮想チャンネルを用いた地上波ＤＭＢ受信装置であって、ユーザーから入力を受けるためのキー入力部と、ユーザーに映像出力を提供するための表示部と、ユーザーがそれぞれの放送サービスに対して指定した仮想チャンネルの情報を格納する仮想チャンネル情報格納部と、地上波ＤＭＢ放送を受信するＤＭＢ受信部と、ＤＭＢ受信部で受信されたＤＭＢ放送信号から、ＦＩＣ情報のＭＣＩ（Ｍｕｌｔｉｐｌｅｘ Ｃｏｎｆｉｇｕｒａｔｉｏｎ Ｉｎｆｏｒｍａｔｉｏｎ）とＳＩ（Ｓｅｒｖｉｃｅ Ｉｎｆｏｒｍａｔｉｏｎ）とを分析するＭＣＩ／ＳＩ分析部と、キー入力部を介しての入力された数字キーの値に応じて仮想チャンネル情報格納部を検索してサービスＩＤを抽出し、抽出されたサービスＩＤに対応する放送サービスを選択するようにＤＭＢ受信部を制御し、ＭＣＩ／ＳＩ分析部で分析された情報を確認して仮想チャンネル情報格納部のアップデートを行う制御部とを備え、制御部は、仮想チャンネル情報をアップデートするとき、現在移動した地域の放送サービスに対する情報を検索して、既に格納されている仮想チャンネルのリストから所定の仮想チャンネルに対するサービスＩＤを抽出し、検索された放送サービスに関する情報の中の該当地域のサービスＩＤリストに、抽出されたサービスＩＤがあるか否か確認して、確認結果、抽出されたサービスＩＤと同じサービスＩＤがある場合には、該当仮想チャンネルの既に格納されているサービスＩＤを維持し、確認結果、抽出されたサービスＩＤと同じサービスＩＤがない場合には、放送サービスに関する情報の中のサービスリンキング情報(Service Linking Information)に抽出されたサービスＩＤがあるか否かを確認して、サービスリンキング情報に抽出されたサービスＩＤがある場合には、サービスリンキング情報でハードリンクされた抽出されたサービスＩＤとは異なる他のサービスＩＤが検索されたサービスＩＤリストにあるか否か確認して、他のサービスＩＤが検索されたサービスＩＤリストにある場合には、ハードリンクされた他のサービスＩＤを仮想チャンネルのリストに該当仮想チャンネルに関するサービスＩＤとしてアップデートを行うように制御することを特徴とする。
【００２６】
また、本発明は、地上波ＤＭＢシステムの地上波ＤＭＢ受信装置における、地域間移動したときの仮想チャンネルアップデート方法であって、地上波ＤＭＢ受信装置が、地域間移動後の地域の放送サービスの情報を検索する第１のステップと、地上波ＤＭＢ受信装置に既に格納されている仮想チャンネルのリストから、所定の仮想チャンネルに対応するサービスＩＤを抽出する第２のステップと、第１のステップにおいて検索された放送サービスに関する情報の中の地域間移動後の地域のサービスＩＤのリストに、抽出されたサービスＩＤがあるか否かを判別する第３のステップと、第３のステップにおいて、抽出されたサービスＩＤと同じサービスＩＤがある場合には、既に格納されているサービスＩＤを維持する第４のステップと、第３のステップにおいて、抽出されたサービスＩＤと同じサービスＩＤがない場合には、前記放送サービスに関する情報の中のサービスリンキング情報に抽出されたサービスＩＤがあるか否かを確認する第５のステップと、サービスリンキング情報に抽出されたサービスＩＤがある場合には、サービスリンキング情報でハードリンクされた抽出されたサービスＩＤとは異なる他のサービスＩＤが検索されたサービスＩＤリストにあるか否か確認して、他のサービスＩＤが検索されたサービスＩＤリストにある場合には、ハードリンクされた他のサービスＩＤを仮想チャンネルのリストに該当仮想チャンネルに関するサービスＩＤとしてアップデートする第６のステップと、を備えることを特徴とする。
【００２７】
さらに、本発明は、仮想チャンネルマッピングが行われる地上波ＤＭＢシステムにおける地上波ＤＭＢ受信装置の放送サービス選択方法であって、仮想チャンネルマッピングが行われる地上波ＤＭＢ受信装置の所定のキーを介して仮想チャンネル番号の入力を受ける第１のステップと、入力された仮想チャンネル番号が地上波ＤＭＢ受信装置に格納されている仮想チャンネルのリストに含まれているか否かにより、入力された仮想チャンネル番号に対応する放送サービスの情報を抽出する第２のステップと、抽出された放送サービスの情報が示すサービスが利用可能か否かにより、放送サービスを提供する第３のステップと、を備え、入力された仮想チャンネル番号に対応する放送サービスの情報は、サービスＩＤであり、地上波ＤＭＢ受信装置の地域間移動が行われた場合には、請求項５ないし９のいずれか一つに記載の仮想チャンネルアップグレード方法により、仮想チャンネルにマッピングされたサービスＩＤをアップデートすることを特徴とする。
【発明の効果】
【００２８】
本発明によれば、地上波ＤＭＢのＦＩＣを用いて仮想チャンネルマッピングを行うことにより、ユーザーは、地域間を移動した際にも、既にマッピングされた仮想チャンネルキーを用いて所望のサービスに対する直接的な選択が可能となる。  
【発明を実施するための最良の形態】
【００２９】
以下、添付図面を参照しながら、本発明の好適な実施形態について詳細に説明する。なお、本発明の説明において、本発明に関連した公知の機能や構成についての具体的な説明が、本発明の要旨を不明瞭にすると判断される場合には、その詳細な説明を省略する。
【００３０】
図４は、本実施形態による地上波受信装置の一つである地上波ＤＭＢ受信端末における仮想チャンネルマッピング装置の構成を示す図である。
【００３１】
本実施形態の地上波ＤＭＢ受信端末における仮想チャンネルマッピング装置は、図４に示すように、ユーザーから入力を受けるためのキー入力部４１と、ユーザーに映像出力を提供するための表示部４２と、ユーザーがそれぞれの放送サービスに対して設定した仮想チャンネルの情報を格納する仮想チャンネル情報格納部４３と、地上波ＤＭＢ放送を受信するＤＭＢ受信部４４と、ＤＭＢ信号からのＦＩＣ情報のＭＣＩとＳＩとを分析するＭＣＩ／ＳＩ分析部４５と、キー入力部４１を介してのユーザーからの入力された数字キーの値に応じて仮想チャンネル情報格納部４３を検索し、検索された仮想チャンネル情報に対応する放送サービスを選択するようにＤＭＢ受信部４４を制御し、ＭＣＩ／ＳＩ分析部４５で分析された情報を確認して仮想チャンネル情報格納部４３をアップデートするように制御する制御部４６とを含む。
【００３２】
より具体的に説明すれば、キー入力部４１は、ユーザーの所望の放送サービスを選択するための仮想チャンネルの入力がされたり、或いは、所定の放送サービスに関する仮想チャンネルを設定するための入力がされたりする。
【００３３】
表示部４２は、ＤＭＢ放送を出力する。特に、本実施形態では、仮想チャンネルの設定のためのメニュー画面を出力したり、仮想チャンネルが入力されたときに当該仮想チャンネルを表示したりする。
【００３４】
仮想チャンネル情報格納部４３は、ＤＭＢ放送サービスのサービスＩＤ及びそれにマッピングされる仮想チャンネル情報を格納する。特に、所定のＤＭＢサービスに対して仮想チャンネルをマッピングし、地域間移動をした場合には、移動後の地域のサービスＩＤと所定の関係を有するサービスＩＤを検索するためのサービスリンキング（ｌｉｎｋｉｎｇ）情報によって、仮想チャンネル情報をアップデートする。
【００３５】
ＤＭＢ受信部４４は、制御部４６の制御のもとで所定の放送サービスのためのアンサンブルを受信し、当該アンサンブルから所定の放送サービスの提供を受ける。
【００３６】
ＭＣＩ／ＳＩ分析部４５は、地上波ＤＭＢ受信端末が地域間移動のときにチャンネル検索を行う場合において、ＦＩＣのＭＣＩとＳＩとを分析して移動後の地域のサービスＩＤ、及びサービスリンキング情報を抽出し、これらにより仮想チャンネル情報格納部４３に格納されている仮想チャンネルのリストをアップデートする。
【００３７】
制御部４６は、図４に示すように、各構成部分と連結してこれら構成部分の動作を制御する。特に、仮想チャンネルの設定動作と、仮想チャンネルの入力によるチャンネル選択動作と、地域間移動をしたときの仮想チャンネルのアップデート動作とを行う。
【００３８】
本実施形態において、仮想チャンネルを利用するためには、地上波ＤＭＢのそれぞれの放送サービスが固有の識別番号を有していなければならない。これにより、仮想チャンネルを当該識別番号にマッピングさせることが可能となる。また、地域間移動をした場合であっても、識別番号間の所定の関係を示す情報（例えばサービスリンキング情報）によって仮想チャンネルを移動後の地域の新たな識別番号にマッピングさせることができる。即ち、サービスリンキング情報とは、提供される放送サービスのなかで所定の関係を有する各地域の放送サービスの識別番号同士を関連付けて提供するための情報である。より具体的には、同じサービス内容を含んでいる放送サービスを示す識別番号同士をハードリンク情報で表現し、また、関連するサービス内容を含んでいる放送サービスを示す識別番号同士をソフトリンク情報で表現する。このサービスリンキング情報に基づき、地上波ＤＭＢ受信端末は、地域間移動前と地域間移動後における各地域の放送サービスの関係を判断することができる。
【００３９】
本実施形態において、使用するそれぞれの地上波ＤＭＢの放送サービスに関する識別情報は“サービスＩＤ”とする。
【００４０】
このようなサービスＩＤは、ＦＩＣのＭＣＩに含まれて伝送される。特に、サービスＩＤは、ＦＩＣのＭＣＩのなかのＦＩＧタイプ０番の拡張番号２のフレーム（ＦＩＧ０／２）に含まれて伝送される。このようなサービス識別番号は、１６ビット又は３２ビットの二進数で表示される。
【００４１】
上述したように、地上波ＤＭＢシステムでは、固定型放送のように仮想チャンネルを物理的なチャンネル番号にマッピングさせることはできない。よって、本実施形態では、それぞれの放送サービスを示すサービスＩＤに仮想チャンネル番号をマッピングさせることで、ユーザーが特定の数字キーを使用してアンサンブル内のサービスを選択できるようにする。
【００４２】
図５Ａ〜図５Ｅは、本実施形態における、仮想チャンネルのマッピング過程を示す図である。
【００４３】
図５Ａは仮想チャンネルを設定するためのメニュー項目を示しており、ユーザーは“チャンネル番号設定”のメニューによって仮想チャンネルを設定できる。
【００４４】
図５Ｂ及び図５Ｃは、チャンネル番号設定のメニューに従って仮想チャンネルを設定しようとする放送サービスの選択について示す図である。図５Ｂにおいて、ユーザーは仮想チャンネル番号を設定したい放送サービスのサービス類型を選択する。ユーザーがサービス類型を選択すれば、この類型に該当する放送サービスのリストが図５Ｃに示すように出力される。
【００４５】
ユーザーが出力された放送サービスのリストのなかから特定の放送サービスをいずれか一つ選択すると、図５Ｄに示すような仮想チャンネル設定画面が表示される。ユーザーは、この仮想チャンネル設定画面が表示されているときに、キー入力部で任意のキーを選択することにより、任意のチャンネル番号を所望の放送サービスに対して設定することができる。例えば、図５Ｄにおいては、ユーザーは“ＫＢＳ  ＴＶ  ２”というビデオ放送サービスに対して仮想チャンネル番号７を設定している。
【００４６】
図５Ｅに示すように、ある放送サービスの欄に仮想チャンネル情報を表示することにより、放送サービスのリストを介して当該放送サービスに対して仮想チャンネルが設定されていることをユーザーは理解することができる。
【表２】
0004562698.tif 000004
【００４７】
表２は、仮想チャンネル番号とサービスＩＤとがマッピングされた仮想チャンネルマッピングテーブルを示す。
【００４８】
表２に示すように、例えば、サービスＩＤが“１７”の放送サービスに対しては仮想チャンネル番号を“７”に設定している。また、サービスＩＤが“１２３１”の放送サービスに対しては仮想チャンネル番号を“１２”に設定している。
【００４９】
このように仮想チャンネル番号がサービスＩＤにマッピングされた仮想チャンネルマッピングテーブルは、仮想チャンネル情報格納部４３に格納される。したがって、ＤＭＢ端末のキー入力部を通じて仮想チャンネル番号がユーザーから入力されると、入力された仮想チャンネル番号に対応するサービスＩＤを仮想チャンネルマッピングテーブルから検索して、該当するサービスＩＤの放送サービスを選択する。
【００５０】
サービスＩＤは、上述したように、ＭＣＩを通じて取得することができる。通常、地上波ＤＭＢシステムでは、それぞれの放送がサービス単位でユーザーに提供されるため、サービスＩＤを用いて地上波ＤＭＢの放送サービスを選択することが可能である。
【００５１】
図６は、本実施形態の地上波ＤＭＢシステムにおいて、地域間移動をした際、つまり地上波ＤＭＢ受信端末が別の地域に移動したことによって必要となったチャンネル検索によって、仮想チャンネルリストをアップデートする方法を示す動作フローチャートである。
【００５２】
表２のように構成された仮想チャンネルマッピングテーブルは、地上波ＤＭＢ受信端末の地域間移動などによってそれぞれの放送サービスのサービスＩＤが変わるので、移動後の地域に適合するようにアップデートされなければならない。このように地域間移動などによりサービスＩＤが変わると、移動後の地域でチャンネル検索を行い、変更されたサービスＩＤを既存の仮想チャンネルマッピングテーブルにアップデートする。これにより、ユーザーが設定した仮想チャンネルは地域間移動によっても変更されることなく維持される。
【００５３】
地域間移動などによって、既に格納されている仮想チャンネルマッピングテーブルは継続的な支援（ｓｕｐｐｏｒｔ）がなされないため、通常、地上波ＤＭＢ受信端末は仮想チャンネルマッピングテーブルのアップデートが必要である。図６を参照しながら、以下で仮想チャンネルのリストに対するアップデート過程を説明する。地上波ＤＭＢ受信端末は、仮想チャンネルマッピングテーブルに関するアップデート動作を行うために、まず、移動後の地域の放送チャンネルを検索する（ステップＳ６０１）。このような放送チャンネルの検索を介して、地上波ＤＭＢ受信端末はＦＩＣのＭＣＩとＳＩを集め、当該地域のサービスＩＤや、サービスリンキング情報などのアップデートするのに必要な情報を得る。
【００５４】
次に、地上波ＤＭＢ受信端末は、この受信端末の仮想チャンネル情報格納部に既に格納されている仮想チャンネルのリスト（例えば、仮想チャンネルマッピングテーブル）から、所定の仮想チャンネルのサービスＩＤを抽出する（ステップＳ６０２）。
【００５５】
続いて、地上波ＤＭＢ受信端末は、抽出されたサービスＩＤと現在検索されたサービスＩＤとを順次一つずつ比較して、同一のサービスＩＤがあるか否かを判別する（ステップＳ６０３）。
【００５６】
ステップＳ６０３において、抽出されたサービスＩＤと同じサービスＩＤが現在検索されたサービスＩＤのなかにある場合は、地上波ＤＭＢ受信端末は既に格納されているサービスＩＤをそのまま維持する（ステップＳ６０４）。一方、抽出されたサービスＩＤと同一のサービスＩＤが現在検索されたサービスＩＤのなかにない場合には、地上波ＤＭＢ受信端末はサービスリンキング情報があるか否かを判別する（ステップＳ６０６）。サービスリンキング情報はそれぞれの放送サービスに対して所定の関係のあるサービスに関する情報を提供することができる。このサービスリンキング情報はサービス間の関係を示すソフトリンク情報とハードリンク情報とを含む。放送サービスが同じサービス内容を含んでいる場合にはハードリンク情報で表現され、関連するサービス内容を含んでいる場合にはソフトリンク情報で表現される。このようなサービスリンキング情報はＦＩＣのＭＣＩに含まれて伝送される。特に、サービスリンキング情報はＦＩＣのＭＣＩののなかのＦＩＧタイプ０番の拡張番号６のフレーム（ＦＩＧ０／６）に含まれて伝送される。
【００５７】
ステップＳ６０６において、サービスリンキング情報がある場合には、地上波ＤＭＢ受信端末は、サービスリンキング情報のなかに、Ｓ６０２で抽出されたサービスＩＤとハードリンクされた（すなわち、同じサービス内容の放送サービスを示す）サービスＩＤが検索されたサービスＩＤのリストに含まれているか否かを判別する（ステップＳ６０７）。
【００５８】
ステップＳ６０７において、サービスリンキング情報のなかに含まれる、Ｓ６０２で抽出されたサービスＩＤとハードリンクされたサービスＩＤが、検索されたサービスＩＤのリストに含まれている場合は、地上波ＤＭＢ受信端末は仮想チャンネルのリストのサービスＩＤを、検索されたサービスＩＤのリストに含まれているハードリンクされたサービスＩＤを用いてアップデートする（ステップＳ６０９）。
【００５９】
一方、ステップＳ６０６においてサービスリンキング情報がない、或いは、ステップＳ６０７においてサービスリンキング情報のなかにＳ６０２で抽出されたサービスＩＤとハードリンクされたサービスＩＤが検索されたサービスＩＤのリストに含まれていない場合には、地上波ＤＭＢ受信端末は当該仮想チャンネルを仮想チャンネルのリストから除去する（ステップＳ６０８）。
【００６０】
以上のステップＳ６０２〜ステップＳ６０９の過程を、仮想チャンネルのリストのなかの全ての仮想チャンネルに対して行う（ステップＳ６０５）。
【００６１】
上述した過程により、“ソウル”において仮想チャンネル“１１”番でサービス“ＭＢＣドラマ”を視聴するように仮想チャンネルマッピングを行ったユーザーが“釜山”へ移動した場合にも、仮想チャンネル“１１”番で同様のサービス“ＭＢＣドラマ”を視聴できる。
【００６２】
すなわち、放送サービスのサービスＩＤが同じか、或いは、サービスリンキング情報においてハードリンクの関係に設定される場合には、ユーザーは地域間移動に関係なく同じ仮想チャンネルを介して同じ放送サービスの提供を受けることができる。
【００６３】
図７は、本実施形態の地上波ＤＭＢシステムにおいて、地域間移動をしたときのチャンネル検索によって仮想チャンネルのリストをアップデートする方法を使用した、仮想チャンネルアップデート過程を示す図である。
【００６４】
図７に示すように、まず、地上波ＤＭＢ受信端末に既に格納されている仮想チャンネルマッピングテーブル７１は、地域間移動をしたことなどによりアップデートが行われる。
【００６５】
本実施形態における地上波ＤＭＢ受信端末が地域間移動をしたことによって新たにチャンネル検索を行うとき、当該受信端末はチャンネルを検索することによって移動後の地域のサービスＩＤ７２とサービスリンキング情報７３とを受信する。
【００６６】
地上波ＤＭＢ受信端末は既に格納されている仮想チャンネルマッピングテーブル７１のサービスＩＤと、チャンネル検索を通じて得られたサービスＩＤ７２とを比較する。比較の結果、当該受信端末は、同じサービスＩＤがある場合には当該サービスＩＤをそのまま維持し、同じサービスＩＤがない場合にはサービスリンキング情報を検索してハードリンクされたサービスＩＤがあるか否かを検索する。ハードリンクされたサービスＩＤがある場合には当該サービスＩＤを用いて仮想チャンネルマッピングテーブル７１をアップデートし、ハードリンクされたサービスＩＤがない場合には当該仮想チャンネルを仮想チャンネルマッピングテーブル７１から除去する（７４）。
【００６７】
既に格納されている仮想チャンネルマッピングテーブル７１のそれぞれの仮想チャンネルに対し、図６に示すアップデート過程を適用すれば次の通りである。
【００６８】
まず、既に格納されている仮想チャンネルマッピングテーブル７１の仮想チャンネル“１２”番のサービスＩＤ“１２３１”が、新たに検索されたサービスＩＤのリスト７２にもあるので、地上波ＤＭＢ受信端末は仮想チャンネル“１２”番のサービスＩＤ“１２３１”についてはそのまま維持する（７４）。
【００６９】
一方、既に格納されている仮想チャンネルマッピングテーブル７１の仮想チャンネル“７”番のサービスＩＤ“１７”は、新たに検索されたサービスＩＤのリスト７２のなかにはない。しかしながら、サービスリンキング情報７３にはハードリンクされたサービスＩＤ“１７、１０１、２２３”が含まれており、その一つである“１０１”が新たに検索されたサービスＩＤのリスト７２にもあるので、地上波ＤＭＢ受信端末は仮想チャンネル“７”番のサービスＩＤを“１０１”にアップデートし、仮想チャンネルマッピングテーブル７１に格納する（７４）。
【００７０】
また、既に格納されている仮想チャンネルマッピングテーブル７１の仮想チャンネル“２１”番と“２５”番の場合は、これらのサービスＩＤが新たに検索されたサービスＩＤのリスト７２になく、サービスリンク情報７３のなかにハードリンクしているサービスＩＤもないので、地上波ＤＭＢ受信端末は仮想チャンネルマッピングテーブル７１から仮想チャンネル“２１”番及び“２５”番を除去する（７４）。
【００７１】
図８は、本実施形態の仮想チャンネルを用いた放送サービス選択方法を示す動作フローチャートである。
【００７２】
図８に示すように、本実施形態の仮想チャンネルを用いた放送サービス選択方法においては、まず、ユーザーが所定のキー（例えば数字キー）を用いて仮想チャンネル番号を入力する場合に（ステップＳ８０１）、地上波ＤＭＢ受信端末はユーザーが入力した仮想チャンネル番号と当該受信端末に既に格納されている仮想チャンネルのリスト（例えば、仮想チャンネルマッピングテーブル）にある番号とを比較して、入力された仮想チャンネル番号が当該仮想チャンネルのリストにあるか否かを判別する（ステップＳ８０２）。
【００７３】
ステップＳ８０２において、仮想チャンネル番号が仮想チャンネルのリストにある場合には、地上波ＤＭＢ受信端末は仮想チャンネル番号のサービスＩＤを抽出する（ステップＳ８０３）。
【００７４】
次に、地上波ＤＭＢ受信端末は抽出されたサービスＩＤに該当するサービスの利用が可能か否かを判断する（ステップＳ８０４）。サービスの利用が可能な場合は、当該受信端末はサービスＩＤに該当する放送サービスを選択してユーザーに提供する（ステップＳ８０５）。一方、サービスの利用ができない場合には、当該受信端末は該当する放送サービスの選択ができないことをユーザーに知らせる（ステップＳ８０６）。
【００７５】
また、ステップＳ８０２において、仮想チャンネル番号が仮想チャンネルのリストにない場合には、地上波ＤＭＢ受信端末はユーザーに仮想チャンネルとマッピングされるサービスがないことを知らせる（ステップＳ８０７）。
【００７６】
図９Ａ〜図９Ｄは、本実施形態の仮想チャンネルを用いた放送サービス選択過程を示す図である。
【００７７】
図９Ａに示すように、ユーザーが所定の放送サービスの提供を受けているあいだに特定の数字“７”を入力するとき、地上波ＤＭＢ受信端末は入力された数字‘‘７’’を仮想チャンネルのリスト（例えば、仮想チャンネルマッピングテーブル）から検索し、これに該当するサービスＩＤを得て、図９Ｂに示すように当該サービスＩＤに対応する放送サービスを出力する。
【００７８】
一方、図９Ｃに示すように、ユーザーが所定の放送サービスの提供を受けているあいだに特定の数字“２１”を入力するとき、地上波ＤＭＢ受信端末は入力された数字‘‘２１’’を仮想チャンネルのリスト（例えば、仮想チャンネルマッピングテーブル）から検索する。この場合に、該当する仮想チャンネルがないときは、図９Ｄに示すように“２１番に該当するサービスがありません”というメッセージを表示する。
【００７９】
この場合に、該当するサービスのアンサンブル識別番号がサービス識別番号と地域がちがうことによって異なるとしても、仮想チャンネルマッピングは地域情報と共にマッピングが行われるため、このような地域がちがうことによる影響は受けない。
【００８０】
以上のように、本発明によれば、地域によってアンサンブル情報が異なるときでさえも、サービスＩＤを用いて仮想チャンネルマッピングを行い、サービスリンキング情報などを用いて当該マッピングの結果を地域によってアップデートすることにより、同じ仮想チャンネルによる同じ放送サービスの選択を行うことができる。
【００８１】
なお、本発明の詳細な説明では具体的な実施形態について説明したが、本発明の要旨から逸脱しない範囲内で上述した実施形態に対して様々な変更を行うことができる。よって、本発明の範囲は、上述した実施形態に限定されるものではなく、特許請求の範囲の記載及びこれと均等なものに基づいて定められるべきである。
【図面の簡単な説明】
【００８２】
【図１】地上波ＤＭＢシステムにおいて使用されるアンサンブルに対する構造を示す図である。
【図２】既存の地上波ＤＭＢ受信端末における放送選択過程を示す図である。
【図３】一般の地上波ＤＭＢシステムにおける地域変化によるアンサンブルの情報変化を説明する図である。
【図４】本実施形態の地上波ＤＭＢ受信端末における仮想チャンネルマッピング装置の構成を示す図である。
【図５】本実施形態の仮想チャンネルのマッピング過程を示す図である。
【図６】本実施形態の地上波ＤＭＢシステムにおいて、地域間移動によるチャンネル検索を通じて仮想チャンネルリストをアップデートする方法を示す動作フローチャートである。
【図７】本実施形態の地上波ＤＭＢシステムにおいて、地域間移動に伴うチャンネル検索を通じて仮想チャンネルのリストをアップデートする方法を適用した仮想チャンネルアップデート過程を示す図である。
【図８】本実施形態の仮想チャンネルを用いた放送サービス選択方法を示す動作フローチャートである。
【図９】本実施形態の仮想チャンネルを用いた放送サービス選択過程を示す図である。
【符号の説明】
【００８３】
４１  キー入力部
４２  表示部
４３  仮想チャンネル情報格納部
４４  ＤＭＢ受信部
４５  ＭＣＩ／ＳＩ分析部
４６  制御部
【図１】
0004562698.tif 000005
【図２】
0004562698.tif 000006
【図３】
0004562698.tif 000007
【図４】
0004562698.tif 000008
【図５】
0004562698.tif 000009
【図６】
0004562698.tif 000010
【図７】
0004562698.tif 000011
【図８】
0004562698.tif 000012
【図９】
0004562698.tif 000013